(57)【特許請求の範囲】
【請求項１】
記憶部に登録された調査対象者の端末に制御部がＵＲＬを添付したＳＭＳメールを送付し、制御部が前記ＵＲＬにアクセスした調査対象者の端末画面に回答を求める調査用Ｗｅｂページを表示させる調査用Ｗｅｂページの表示システムにおいて、
前記記憶部は、
調査用Ｗｅｂページの表示項目や設問に関する文字列、選択肢及びＷｅｂページ上で調査対象者によって入力される入力欄の形態等の表示要素についてプログラミング言語で記録された調査用Ｗｅｂページの骨格となるテンプレートＷｅｂデータと、
前記テンプレートＷｅｂデータに関連づけられ、文字列、選択肢及び入力欄の形態等の前記各表示要素について、調査用Ｗｅｂページにおける表示または非表示を個別に制御する入力属性データと、
前記調査用Ｗｅｂページの表示項目に対応した各調査対象者のデータであって、表計算ファイルを介して入力された個人情報データと、を有し、
前記制御部は、
調査対象者毎に異なるように生成した専用短縮ＵＲＬを含むＳＭＳメールを送信し、
前記専用短縮ＵＲＬへのアクセスに基づき、個人情報データの身元情報を調査対象者毎にテンプレートＷｅｂデータの所定位置に埋め込んで表示させるように作成し、かつ前記身元情報の正否を問う文字列及びチェック式入力欄と、本人認証情報の文字入力欄とを入力属性データによって表示させるように作成した調査対象者毎に異なる認証用個別Ｗｅｂページを各調査対象者の端末画面に表示させ、
調査対象者によるチェック式入力欄へのチェック及び正しい認証情報の入力に基づいて、個人情報データを調査対象者毎にテンプレートＷｅｂデータの所定位置に埋め込み、調査対象者毎に前記入力属性データに基づいた異なる表示を行う調査用個別Ｗｅｂページを作成して調査対象者の端末画面に表示させることを特徴とする、調査用個別Ｗｅｂページ作成表示システム。
【請求項２】
前記入力属性データは、
テンプレートＷｅｂデータの表示要素のうち、表計算ファイルに入力された個人情報データに対応関係のある表示要素のみを表示させ、個人情報データに対応関係の無い表示要素を表示させないように生成されたことを特徴とする請求項１に記載の調査用個別Ｗｅｂページ作成表示システム。
【請求項３】
調査用個別Ｗｅｂページ作成表示システムの記憶部に個人情報データを記録された調査対象者の端末に調査用個別Ｗｅｂページ作成表示システムの制御部がＵＲＬを添付したＳＭＳメールを送付し、前記ＵＲＬにアクセスした調査対象者の端末画面に回答を求める調査用Ｗｅｂページを表示させる調査用個別Ｗｅｂページ作成表示方法において、
前記制御部が、
調査用Ｗｅｂページの表示項目や設問に関する文字列、選択肢及びＷｅｂページ上で調査対象者によって入力される入力欄の形態等の表示要素について、プログラミング言語で構成された調査用Ｗｅｂページの骨格となるテンプレートＷｅｂデータを前記記憶部に記録するステップと、
文字列、選択肢及び入力欄の形態等の前記各表示要素について、調査用個別Ｗｅｂページにおける表示または非表示を個別に制御する入力属性データを前記テンプレートＷｅｂデータに関連づけて、前記記憶部に記録するステップと、
表計算ファイルを介して前記調査用Ｗｅｂページの表示項目に対応した各調査対象者の個人情報データを取得して、前記記憶部に記録するステップと、
調査対象者毎に異なる専用短縮ＵＲＬを作成するステップと、
生成した専用短縮ＵＲＬを含むＳＭＳメールを調査対象者毎に送信するステップと、
前記専用短縮ＵＲＬへの調査対象者のアクセスに基づき、個人情報データの身元情報を調査対象者毎にテンプレートＷｅｂデータの所定位置に埋め込んで表示するように作成し、かつ前記身元情報の正否を問う文字列及びチェック式入力欄と、本人認証情報の文字入力欄とを入力属性データに基づいて表示するように作成した調査対象者毎に異なる認証用個別Ｗｅｂページを作成する認証用個別Ｗｅｂページ作成ステップと、
作成した認証用個別Ｗｅｂページをアクセスされた各調査対象者の端末画面に表示させる認証用個別Ｗｅｂページ表示ステップと、
調査対象者によるチェック式入力欄へのチェック及び正しい認証情報の入力に基づいて、個人情報データを調査対象者毎にテンプレートＷｅｂデータの所定位置に埋め込み、前記入力属性データに基づいて調査対象者毎に異なる表示となる調査用個別Ｗｅｂページを作成する調査用個別Ｗｅｂページ作成ステップと、
作成した調査用個別Ｗｅｂページをアクセスされた各調査対象者の端末画面に表示させる調査用個別Ｗｅｂページ表示ステップと、
を実行することを特徴とする調査用個別Ｗｅｂページ作成表示方法。
【請求項４】
前記調査用個別Ｗｅｂページ作成ステップにおいて、前記制御部が、前記入力属性データに基づき、表計算ファイルに入力された個人情報データに対応関係のある表示要素のみを表示し、個人情報データに対応関係のない表示要素を表示しないように調査用Ｗｅｂページを作成することを特徴とする、請求項３に記載の調査用個別Ｗｅｂページ作成表示方法。
【請求項５】
コンピュータに
調査用Ｗｅｂページの表示項目や設問に関する文字列、選択肢及びＷｅｂページ上で調査対象者によって入力される入力欄の形態等の表示要素について、プログラミング言語で構成された調査用Ｗｅｂページの骨格となるテンプレートＷｅｂデータを入力させる手順と、
文字列、選択肢及び入力欄の形態等の前記各表示要素について、調査用Ｗｅｂページにおける表示または非表示を個別に制御させる入力属性データを入力させて、前記テンプレートＷｅｂデータに関連づけさせる手順と、
表計算ファイルを介して前記調査用Ｗｅｂページの表示項目に対応した各調査対象者の個人情報データを入力させる手順と、
調査対象者毎に異なる専用短縮ＵＲＬを生成させる手順と、
生成させた専用短縮ＵＲＬを含むＳＭＳメールを調査対象者毎に送信させる手順と、
前記専用短縮ＵＲＬへの調査対象者のアクセスに基づき、個人情報データの身元情報を調査対象者毎にテンプレートＷｅｂデータの所定位置に埋め込ませて表示させるように作成させ、かつ前記身元情報の正否を問う文字列及びチェック式入力欄と、本人認証情報の文字入力欄とを入力属性データに基づいて表示させるように調査対象者毎に異なる認証用個別Ｗｅｂページを作成させる認証用個別Ｗｅｂページ作成手順と、
作成された認証用個別Ｗｅｂページをアクセスされた各調査対象者の端末画面に表示させる認証用個別Ｗｅｂページ表示手順と、
調査対象者によるチェック式入力欄へのチェック及び正しい認証情報の入力に基づいて、個人情報データを調査対象者毎にテンプレートＷｅｂデータの所定位置に埋め込ませ、前記入力属性データに基づいて調査対象者毎に異なる表示となる調査用個別Ｗｅｂページを作成させる調査用個別Ｗｅｂページ作成手順と、
作成した調査用個別Ｗｅｂページをアクセスされた各調査対象者の端末画面に表示させる調査用個別Ｗｅｂページ表示手順と、
を実行させることを特徴とする調査用個別Ｗｅｂページ作成表示プログラム。
【請求項６】
前記調査用個別Ｗｅｂページ作成手順において、前記入力属性データに基づき、表計算ファイルに入力された個人情報データに対応関係のある表示要素のみを表示させ、表計算ファイルの個人情報データに対応関係のない表示要素を表示させないように調査用個別Ｗｅｂページを作成させることを特徴とする、請求項５に記載の調査用個別Ｗｅｂページ作成表示プログラム。
【発明の詳細な説明】
【技術分野】
【０００１】
ＳＭＳメールのＵＲＬにアクセスした調査対象者の端末画面に表示させる調査用Ｗｅｂページの表示システムに関する。
【背景技術】
【０００２】
特定多数を対象とした調査方法には、オペレーターが電話応対によって多数の質問を投げかけて聞き取って記録する聞き取り調査があり、この調査方法は、オペレーターにおける多大な労力を必要とする。
【０００３】
このような電話応対等によるオペレーターの労力を必要とすることなく調査を行う技術として、特許文献１には、ショートメールを介してＵＲＬを調査対象者に送信し、アクセスした調査対象者の端末画面に調査用Ｗｅｂページを表示させて回答させることによって調査結果を収集するアンケート集計装置が開示されている。
【先行技術文献】
【特許文献】
【０００４】
【特許文献１】特開２０１５−７９３８６号公報
【発明の概要】
【発明が解決しようとする課題】
【０００５】
特許文献１のアンケート集計装置において、調査を行う企業は、調査毎に内容の異なる調査用のＷｅｂ回答ページ予め企業サーバー８０に作成して記録しておく必要があった。調査を行う企業毎に、また調査毎に予め調査用のＷｅｂ回答ページを予め作成しておくことは、調査を希望する各企業にとって大きな負担となっていた。
【０００６】
上記課題に鑑み、本願発明は、調査内容に関する入力属性情報と調査対象者の個人情報から内容の異なる調査用Webページを企業毎、調査毎に自在かつ自動的に作成可能な調査用個別Ｗｅｂページ作成表示システム及び調査用個別Ｗｅｂページ作成表示方法及び調査用個別Ｗｅｂページ作成表示プログラムを提供するものである。
【課題を解決するための手段】
【０００７】
記憶部に登録された調査対象者の端末に制御部がＵＲＬを添付したＳＭＳメールを送付し、制御部が前記ＵＲＬにアクセスした調査対象者の端末画面に回答を求める調査用Ｗｅｂページを表示させる調査用Ｗｅｂページの表示システムにおいて、前記記憶部は、調査用Ｗｅｂページの表示項目や設問に関する文字列、選択肢及びＷｅｂページ上で調査対象者によって入力される入力欄の形態等の表示要素についてプログラミング言語で記録された調査用Ｗｅｂページの骨格となるテンプレートＷｅｂデータと、前記テンプレートＷｅｂデータに関連づけられ、文字列、選択肢及び入力欄の形態等の前記各表示要素について、調査用Ｗｅｂページにおける表示または非表示を個別に制御する入力属性データと、前記調査用Ｗｅｂページの表示項目に対応した各調査対象者のデータであって、表計算ファイルを介して入力された個人情報データと、を有し、前記制御部は、調査対象者毎に異なるように生成した専用短縮ＵＲＬを含むＳＭＳメールを送信し、専用短縮ＵＲＬへのアクセスに基づき、個人情報データを調査対象者毎にテンプレートＷｅｂデータの所定位置に埋め込み、調査対象者毎に前記入力属性データに基づいた異なる表示を行う調査用個別Ｗｅｂページを作成して調査対象者の端末画面に表示させることとした。
【０００８】
（作用）制御部が調査用Ｗｅｂページの表示項目や設問に関する文字列、選択肢及びＷｅｂページ上で調査対象者によって入力される入力欄の形態等の表示要素についてプログラミング言語で構成された調査用Ｗｅｂページの骨格となるテンプレートＷｅｂデータに対し、各表示要素の表示または非表示を個別に制御する入力属性データを関連づけ、ＳＭＳメールを介して行われる調査用Ｗｅｂページへの調査対象者のアクセスに基づいて、表計算ファイル（ＣＳＶファイル等）に入力された調査対象者毎の個人情報データをテンプレートＷｅｂデータにおける入力属性データの対応箇所に埋め込み、入力属性データの制御に基づいて調査対象者毎に異なる表示を行う調査用個別Ｗｅｂページ作成して各調査対象者の端末に表示させる。
【０００９】
また、前記入力属性データは、テンプレートＷｅｂデータの表示要素のうち、表計算ファイルに入力された個人情報データに対応関係のある表示要素のみを表示させ、個人情報データに対応関係の無い表示要素を表示させないように生成されることが望ましい。
【００１０】
（作用）調査対象者毎に異なる調査用個別Ｗｅｂページにおいて、表計算ファイルに含まれる個人情報データに対応関係のある表示要素のみが表示され、表計算ファイルに個人情報データとして含まれず、仮に表示すると空欄になる表示要素が表示されなくなる。
【００１１】
また、前記制御部が、前記専用短縮ＵＲＬへのアクセスに基づき、個人情報データの身元情報を調査対象者毎にテンプレートＷｅｂデータの所定位置に埋め込んで表示させるように作成し、かつ前記身元情報の正否を問う文字列及びチェック式入力欄と、本人確認情報の文字入力欄とを入力属性データによって表示させるように作成した調査対象者毎に異なる認証用個別Ｗｅｂページを各調査対象者の端末画面に表示させ、調査対象者によるチェック式入力欄へのチェック及び正しい認証情報の入力に基づいて前記調査用個別Ｗｅｂページを表示させることが望ましい。
【００１２】
（作用）調査内容が自らを対象としたものであるかを調査対象者に承認させた上で、本人確認情報の入力を促す認証用個別Ｗｅｂページが予め調査対象者の端末に表示され、本人認証に基づいて調査用個別Ｗｅｂページが調査対象者の端末に表示される。
【００１３】
また、調査対象者の端末にＵＲＬを添付したＳＭＳメールを送付し、前記ＵＲＬにアクセスした調査対象者の端末画面に回答を求める調査用Ｗｅｂページを表示させる調査用Ｗｅｂページの表示方法において、調査用Ｗｅｂページの表示項目や設問に関する文字列、選択肢及びＷｅｂページ上で調査対象者によって入力される入力欄の形態等の表示要素について、プログラミング言語で構成された調査用Ｗｅｂページの骨格となるテンプレートＷｅｂデータを入力するステップと、文字列、選択肢及び入力欄の形態等の前記各表示要素について、調査用Ｗｅｂページにおける表示または非表示を個別に制御する入力属性データを前記テンプレートＷｅｂデータに関連づけるステップと、表計算ファイルを介して前記調査用Ｗｅｂページの表示項目に対応した各調査対象者の個人情報データを入力するステップと、調査対象者毎に異なる専用短縮ＵＲＬを作成するステップと、生成した専用短縮ＵＲＬを含むＳＭＳメールを調査対象者毎に送信するステップと、専用短縮ＵＲＬへの調査対象者のアクセスに基づき、個人情報データを調査対象者毎にテンプレートＷｅｂデータの所定位置に埋め込み、前記入力属性データに基づいて調査対象者毎に異なる表示となる調査用個別Ｗｅｂページを作成する調査用個別Ｗｅｂページ作成ステップと、作成した調査用個別Ｗｅｂページをアクセスされた各調査対象者の端末画面に表示する調査用個別Ｗｅｂページ表示ステップと、を実行することが望ましい。
【００１４】
（作用）調査用Ｗｅｂページの表示項目や設問に関する文字列、選択肢及びＷｅｂページ上で調査対象者によって入力される入力欄の形態等の表示要素についてプログラミング言語で構成された調査用Ｗｅｂページの骨格となるテンプレートＷｅｂデータに対し、各表示要素の表示または非表示を個別に制御する入力属性データが関連づけられ、ＳＭＳメールを介して行われる調査用Ｗｅｂページへの調査対象者のアクセスに基づいて、表計算ファイルに入力された調査対象者毎の個人情報データをテンプレートＷｅｂデータにおける入力属性データの対応箇所に埋め込まれ、入力属性データの制御に基づいて調査対象者毎に異なる表示を行う調査用個別Ｗｅｂページが生成されて、各調査対象者の端末に表示される。
【００１５】
また、前記調査用個別Ｗｅｂページ作成ステップにおいて、前記入力属性データに基づき、表計算ファイルに入力された個人情報データに対応関係のある表示要素のみを表示し、個人情報データに対応関係のない表示要素を表示しないように調査用Ｗｅｂページを作成することが望ましい。
【００１６】
（作用）調査対象者毎に異なる調査用個別Ｗｅｂページにおいて、表計算ファイルに含まれる個人情報データに対応関係のある表示要素のみが表示され、表計算ファイルに個人情報データとして含まれず、仮に表示すると空欄になる表示要素が表示されなくなる。
【００１７】
また、前記専用短縮ＵＲＬへのアクセスに基づき、個人情報データの身元情報を調査対象者毎にテンプレートＷｅｂデータの所定位置に埋め込んで表示するように作成し、かつ前記身元情報の正否を問う文字列及びチェック式入力欄と、本人確認情報の文字入力欄とを入力属性データに基づいて表示するように作成した調査対象者毎に異なる認証用個別Ｗｅｂページを作成する認証用個別Ｗｅｂページ作成ステップと、作成した認証用個別Ｗｅｂページをアクセスされた各調査対象者の端末画面に表示する認証用個別Ｗｅｂページ表示ステップと、を実行し、調査対象者によるチェック式入力欄へのチェック及び正しい認証情報の入力に基づいて前記調査用個別Ｗｅｂページ作成ステップを実行することが望ましい。
【００１８】
（作用）調査内容が自らを対象としたものであることを調査対象者に承認させた上で、本人確認情報の入力を促す認証用個別Ｗｅｂページが予め調査対象者の端末に表示され、本人認証に基づいて調査用個別Ｗｅｂページが調査対象者の端末に表示される。
【００１９】
また、コンピュータに調査用Ｗｅｂページの表示項目や設問に関する文字列、選択肢及びＷｅｂページ上で調査対象者によって入力される入力欄の形態等の表示要素について、プログラミング言語で構成された調査用Ｗｅｂページの骨格となるテンプレートＷｅｂデータを入力させる手順と、文字列、選択肢及び入力欄の形態等の前記各表示要素について、調査用Ｗｅｂページにおける表示または非表示を個別に制御する入力属性データを入力させて、前記テンプレートＷｅｂデータに関連づけさせる手順と、表計算ファイルを介して前記調査用Ｗｅｂページの表示項目に対応した各調査対象者の個人情報データを入力させる手順と、調査対象者毎に異なる専用短縮ＵＲＬを生成させる手順と、生成させた専用短縮ＵＲＬを含むＳＭＳメールを調査対象者毎に送信させる手順と、専用短縮ＵＲＬへの調査対象者のアクセスに基づき、個人情報データを調査対象者毎にテンプレートＷｅｂデータの所定位置に埋め込み、前記入力属性データに基づいて調査対象者毎に異なる表示となる調査用個別Ｗｅｂページを作成する調査用個別Ｗｅｂページ作成手順と、作成した調査用個別Ｗｅｂページをアクセスされた各調査対象者の端末画面に表示する調査用個別Ｗｅｂページ表示手順と、を実行させることが望ましい。
【００２０】
（作用）調査用Ｗｅｂページの表示項目や設問に関する文字列、選択肢及びＷｅｂページ上で調査対象者によって入力される入力欄の形態等の表示要素についてプログラミング言語で構成された調査用Ｗｅｂページの骨格となるテンプレートＷｅｂデータに対し、各表示要素の表示または非表示を個別に制御する入力属性データが関連づけられ、ＳＭＳメールを介して行われる調査用Ｗｅｂページへの調査対象者のアクセスに基づいて、表計算ファイルに入力された調査対象者毎の個人情報データをテンプレートＷｅｂデータにおける入力属性データの対応箇所に埋め込まれ、入力属性データの制御に基づいて調査対象者毎に異なる表示を行う調査用個別Ｗｅｂページが作成されて、各調査対象者の端末に表示される。
【００２１】
また、前記調査用個別Ｗｅｂページ作成手順において、前記入力属性データに基づき、表計算ファイルに入力された個人情報データに対応関係のある表示要素のみを表示させ、表計算ファイルの個人情報データに対応関係のない表示要素を表示させないように調査用Ｗｅｂページを作成させることが望ましい（※請求項８）。
【００２２】
（作用）調査対象者毎に異なる調査用個別Ｗｅｂページにおいて、表計算ファイルに含まれる個人情報データに対応関係のある表示要素のみが表示され、表計算ファイルに個人情報データとして含まれず、仮に表示すると空欄になる表示要素が表示されなくなる。
【００２３】
また、前記専用短縮ＵＲＬへのアクセスに基づき、個人情報データの身元情報を調査対象者毎にテンプレートＷｅｂデータの所定位置に埋め込ませて表示させるように作成させ、かつ前記身元情報の正否を問う文字列及びチェック式入力欄と、本人確認情報の文字入力欄とを入力属性データに基づいて表示させるように調査対象者毎に異なる認証用個別Ｗｅｂページを作成させる認証用個別Ｗｅｂページ作成手順と、作成された認証用個別Ｗｅｂページをアクセスされた各調査対象者の端末画面に表示させる認証用個別Ｗｅｂページ表示手順と、を実行させ、調査対象者によるチェック式入力欄へのチェック及び正しい認証情報の入力に基づいて前記調査用個別Ｗｅｂページ作成手順を実行させることが望ましい。
【００２４】
（作用）調査内容が自らを対象としたものであることを調査対象者に承認させた上で、本人確認情報の入力を促す認証用個別Ｗｅｂページが予め調査対象者の端末に表示され、本人認証に基づいて調査用個別Ｗｅｂページが調査対象者の端末に表示される。
【発明の効果】
【００２５】
調査用個別Ｗｅｂページ作成表示システム、調査用個別Ｗｅｂページ作成表示方法、調査用個別Ｗｅｂページ作成表示プログラムによれば、調査元の各企業が、調査において調査毎に複数の調査用Ｗｅｂページを予め作成しておかなくても、調査内容を表示する文字列、選択肢、入力欄の形態等の表示要素についてプログラミング言語で入力されたテンプレートＷｅｂデータと、テンプレートＷｅｂデータに関連づけられて各表示要素の表示または非表示を個別に制御する入力属性データと、表計算ファイルを介して入力された調査対象者毎に異なる氏名や調査内容に関する項目などの個人情報データから調査対象者毎に異なる表示となる調査用個別Ｗｅｂページを調査対象者の端末上に自在に自動生成して表示させた調査を行うことが出来る。
【００２６】
また、調査用個別Ｗｅｂページ作成表示システム、調査用個別Ｗｅｂページ作成表示方法、調査用個別Ｗｅｂページ作成表示プログラムによれば、表示すべき個人情報データが無いために空欄となってしまう入力属性データの無駄な表示が防止される。
【００２７】
また、調査用個別Ｗｅｂページ作成表示システム、調査用個別Ｗｅｂページ作成表示方法、調査用個別Ｗｅｂページ作成表示プログラムによれば、重要な調査を行う前に自動作成された認証用個別ＷｅｂページをＳＭＳメールの受信者端末に表示することで、求められる調査が正しく自分を対象としたものであることを調査対象者に認識させた上で本人認証に関する入力操作を行わせることで、調査対象者に無関係な調査用個別Ｗｅｂページを誤表示させずにすむ。
【図面の簡単な説明】
【００２８】
【図１】本実施形態に係る調査用個別Ｗｅｂページ作成表示システムの接続形態を示す図。
【図２】本実施形態に係る調査用個別Ｗｅｂページ作成表示システムの構成を示すブロック図。
【図３】本実施形態に係る調査用個別Ｗｅｂページ作成表示システムに関する第１フローチャート。
【図４】図３の第１フローチャートに連続する第２フローチャート。
【図５】図３の第２フローチャートに連続する第３フローチャート。
【発明を実施するための最良の形態】
【００２９】
図１から図５により本実施形態に係る調査用個別Ｗｅｂページ作成表示システムについて説明する。本実施形態の調査用個別Ｗｅｂページ作成表示システム１は、インターネット等のオープンネットワーク（ＩＰ：Internet  Protocol網２、以降は単にＩＰ網２と言う）に接続されている。調査用個別Ｗｅｂページ作成表示システム１には、ＩＰ網２を介して調査を求める調査要請者である複数の企業の企業クライアントサーバー（３、４）がそれぞれ接続され、更にＩＰ網２及び公衆網５を介して調査対象者端末であるスマートフォン６やフィーチャーフォン７が複数接続されている。調査対象者端末６，７は、公衆網５を介してＩＰ網２に接続可能に構成され、ショートメールサービスのメール（以降は単にＳＭＳメールとする）を受信可能に構成されたスマートフォン等の携帯型端末である。
【００３０】
調査用個別Ｗｅｂページ作成表示システム１において、調査を求める企業は、後述する記憶部のデータベース（以降は、単にＤＢとする）に登録される。また、本実施形態における企業クライアントサーバーと調査対象者端末は、一例として２つずつ記載されているが、いずれも３以上接続されてもよいし、単数であってもよい。
【００３１】
調査用個別Ｗｅｂページ作成表示システム１は、企業と調査対象者との間の紐付関係と調査の内容に基づいて発信の条件を決定し、決定された条件に基づいてＳＭＳメールを調査対象者の調査対象者端末（６，７）毎に割り当てられた電話番号宛に発信する。発信されるＳＭＳメールには、利用者を特定する固有の識別情報が付加された後述する短縮ＵＲＬが含まれ、端末の利用者は、配信されたＳＭＳメールを調査対象者端末（６，７）の小型のモニター（６ａ，７ａ）で閲覧し、メールに記載されたＵＲＬにリンクされたインターネットページにアクセスすることによって調査に回答する。
【００３２】
図２に示す調査用個別Ｗｅｂページ作成表示システム１は、制御部１０と、記憶部２０と、操作部３０と、表示部４０を有する。制御部１０は、記憶部２０のプログラム領域２１に記憶される調査用個別Ｗｅｂページ作成表示プログラムに基づいて、調査対象者端末（６，７）に表示される調査用個別Ｗｅｂページへアクセス可能なＵＲＬ付のＳＭＳメールを送信する。
【００３３】
制御部１０が実行する調査用個別Ｗｅｂページ作成表示プログラムは、図２にその構造が機能展開されているように、ユーザー管理部１１と、個別Ｗｅｂページ個人情報データ管理部１２と、短縮ＵＲＬ作成部１３と、ＳＭＳメール生成部１４（以降は単にＳＭＳ生成部１４とする）と、個別Ｗｅｂページ作成部１５と通信ネットワークインターフェイス部１６と、調査回答データ集計部１７と、調査回答データ解析部１８を含む。また、記憶部２０には、プログラム領域２１の他に、企業及び調査対象者（ＳＭＳ受信者）ＤＢ２２と、テンプレートＷｅｂデータ２３と、個別Ｗｅｂページ個人情報ＤＢ２４と、調査回答データＤＢ２５及び入力属性データ２６が記憶される。
【００３４】
図２の制御部１０において、ユーザー管理部１１は、調査に先だって調査用個別Ｗｅｂページ作成イベントが発生すると、企業クライアントサーバー（３，４）に表計算ファイル（ＣＳＶファイル等）を介して予め記録された各調査対象者の個人情報データのうち、ＳＭＳメールを送信するための各調査対象者端末の電話番号データを調査依頼元の企業データ（操作部３０または企業クライアントサーバー３，４からＩＰ網２を介して入力される）と紐付けて記憶部２０の企業及び調査対象者ＤＢ２２に記録し、企業クライアントサーバー（３，４）から企業ユーザーの企業のＵＲＬを取得して調査対象者端末（６，７）の電話番号と共に短縮ＵＲＬ作成部１３へ出力する。また、個別Ｗｅｂページ個人情報データ管理部１２は、操作部３０またはユーザー管理部１１を介して前記個人情報データのうち、個別Ｗｅｂページ個人情報データを個別Ｗｅｂページ個人情報ＤＢ２４に記録する。
【００３５】
テンプレートＷｅｂデータ２３は、プログラミング言語（ＨＴＭＬ、ＰＨＰ、ｃｓｓ、ｊａｖａｓｃｒｉｐｔ）で記録された調査用個別Ｗｅｂページの表示項目や設問に関する文字列、選択肢、Ｗｅｂページ上で調査対象者によって入力される入力欄の形態等の表示要素と、各表示要素の配置位置に関するデータであり、調査用個別Ｗｅｂページの骨格を構成する。入力属性データ２６は、テンプレートＷｅｂデータ２３に基づいて調査用個別Ｗｅｂページの所定位置にそれぞれ配置されるべき文字列、選択肢、入力欄等について、後述する個別Ｗｅｂページ個人情報データに対応した表示または非表示を個別に制御するためのデータである。
【００３６】
個別Ｗｅｂページ個人情報データとは、個人情報データのうち、入力属性データ２６の項目に対応した各調査対象者の個別データであり、例えば、「契約者名」という項目に対する具体的な個人名や、「管理番号」という項目に対する英数字等の組み合わせや、「契約内容」という項目に対する具体的な契約内容を示す文章を示す。
【００３７】
尚、テンプレートＷｅｂデータ２３における「調査用個別Ｗｅｂページの表示項目」とは、調査対象者の個人情報に無関係なタイトル、注意書き等の各調査に共通する文章を構成する文字列や、調査対象者の個人情報に関連する「契約者（調査対象者）名」「（調査の）管理番号」「契約内容」等の「項目」を示す文字列や、調査において選択肢の選択を求めたり入力欄に任意の文章回答を求めるための設問を構成する文字列を言う。また、調査用個別Ｗｅｂページの「選択肢」とは、調査対象者に設問に対するチェックを入れさせる欄の数を示し、「入力欄の形態」とは、入力欄の方式（チェック式入力欄や任意文字の入力欄）や、任意文字の入力欄の大きさや形状を示す。
【００３８】
図２の短縮ＵＲＬ作成部１３は、ユーザー管理部１１から入力された各企業ユーザーの企業ＵＲＬのドメインと、調査対象者となるＳＭＳ受信ユーザーのＩＤや顧客ＩＤ、電話番号（060,070,080,090他で始まる11ケタの番号）等の調査対象者を特定する任意の文字列から調査対象者毎に異なる専用の短縮ＵＲＬを生成してＳＭＳ生成部１４に出力する。
【００３９】
図２のＳＭＳ生成部１４は、短縮ＵＲＬ作成部１３で調査対象者各自に生成された独自の短縮ＵＲＬと、調査依頼の文面を作成して通信ネットワークインターフェイス部１６に出力する。また、個別Ｗｅｂページ作成部１５は、記憶部２０から引き出した調査用Ｗｅｂページの骨格となるテンプレートＷｅｂデータ２３に個別Ｗｅｂページ個人情報ＤＢ２４から引き出した個別Ｗｅｂページ個人情報データを埋め込み、入力属性データによる表示要素の表示または非表示の制御に基づいた調査用個別Ｗｅｂページを作成し、通信ネットワークインターフェイス部１６に出力する。
【００４０】
通信ネットワークインターフェイス部１６は、短縮ＵＲＬと調査依頼文を含むＳＭＳメールをＩＰ網２と図１の公衆網５を介して調査対象者の調査対象者端末（６，７）に送信し、調査対象者から短縮ＵＲＬへのアクセスに基づき、調査対象者毎に内容の異なる調査用個別Ｗｅｂページを調査対象者端末（６，７）の小型のモニター（６ａ，７ａ）にそれぞれ表示させる。
【００４１】
また、図２の通信ネットワークインターフェイス部１６は、調査対象者端末（６，７）から受信した調査回答データを調査回答データ集計部１７に出力し、調査回答データ集計部１７は、集計結果を表示部４０に表示させると共に集計データを調査回答データ解析部１８に出力する。調査回答データ解析部１８は、周毛データを解析して解析データを記憶部２０の調査回答データＤＢ２５に記録させる。
【００４２】
次に図２のブロック図と図３から図５のフローチャートにより、調査用個別Ｗｅｂページ作成表示システム１の動作を順に詳細に説明する。図３から図５において、各図の左側は、サーバー、即ち調査用個別Ｗｅｂページ作成表示システム１における処理の流れを示し、各図の右側は、スマートフォン（またはフィーチャーフォン）における処理の流れを示し、各図は、調査用個別Ｗｅｂページ作成表示システム１と調査対象者端末（６，７）間における処理の流れを示す。
【００４３】
まず、図３のステップＳ１０１において、制御部１０のユーザー管理部１１は、操作部３０を介し、または調査依頼元の企業クライアントサーバー（３，４）から企業ユーザーのデータ（企業名や企業のＵＲＬ等）を記憶部２０の企業及び調査対象者ＤＢ２２に登録する。次にステップＳ１０２において、ユーザー管理部１１は、企業クライアントサーバー（３，４）に表計算ファイルを介して予め記録された各調査対象者の個人情報データのうち、調査対象者端末の電話番号データを企業ユーザーのデータと紐付して記憶部２０の企業及び調査対象者ＤＢ２２に登録する。
【００４４】
図３のステップＳ１０３において、図２のユーザー管理部１１は、調査に先だって調査対象者となるＳＭＳ受信ユーザーの調査対象者端末（６，７）に表示される調査用個別Ｗｅｂページの骨格となるテンプレートＷｅｂデータ２３（ＨＴＭＬ、ＰＨＰ、ｃｓｓ、ｊａｖａｓｃｒｉｐｔ等のプログラミング言語で記録された調査用個別Ｗｅｂページの表示項目や設問に関する文字列、選択肢、Ｗｅｂページ上で調査対象者によって入力される入力欄の形態等の表示要素と、各表示要素の配置位置に関するデータ）を記憶部２０に記録する。
【００４５】
また、ステップＳ１０４において、個別Ｗｅｂページ個人情報データ管理部１２は、調査用個別Ｗｅｂページの所定位置にそれぞれ配置されるべき文字列、選択肢、入力欄等に関するテンプレートＷｅｂデータ２３を入力属性データ２６に関連づけて、個別Ｗｅｂページ個人情報ＤＢ２４に記録する。
【００４６】
図３のステップＳ１０５において、調査用個別Ｗｅｂページ作成イベントが発生する（Yesとなる）と、ステップＳ１０６において、ユーザー管理部１１は、企業クライアントサーバー（３，４）から表計算ファイルを介して取得した各調査対象者の個人情報データのうち、調査対象者端末の電話番号データを調査依頼元の企業データ（操作部３０または企業クライアントサーバー３，４からＩＰ網２を介して入力される）と紐付けて記憶部２０の企業及び調査対象者ＤＢ２２に記録（アップロード）し、更に企業クライアントサーバー（３，４）から企業ユーザーの企業のＵＲＬを取得して調査対象者端末（６，７）の電話番号と共に短縮ＵＲＬ作成部１３へ出力し、個別Ｗｅｂページ個人情報データ管理部１２は、前記個人情報データのうち、個別Ｗｅｂページ個人情報データを個別Ｗｅｂページ個人情報ＤＢ２４に記録（アップロード）する。図３のステップＳ１０６は、図４のステップＳ１０７に続く。
【００４７】
図３のステップＳ１０７において、図２の短縮ＵＲＬ作成部１３は、調査を求める企業のドメインと電話番号等から調査対象者毎に異なるように生成した専用の短縮ＵＲＬ（認証用個別Ｗｅｂページまたは調査用個別Ｗｅｂページへのアクセス用ＵＲＬ）をＳＭＳ生成部１４に出力し、ＳＭＳ生成部１４は、短縮ＵＲＬと調査依頼の文面を作成して通信ネットワークインターフェイス部１６に出力する。
【００４８】
図４のステップＳ１０８において、図２の通信ネットワークインターフェイス部１６は、調査対象者毎に異なるように生成した専用の短縮ＵＲＬを記載した調査依頼文をＩＰ網２と図１の公衆網５を介して調査対象者の調査対象者端末（６，７）にＳＭＳメールで送信する。調査対象者であるＳＭＳ受信ユーザーは、図４のステップ１０９において、受信可能な状態（ＹＥＳである）なら、自分のスマートフォン６（もしくはフィーチャーフォン７のいずれか）で送付されたＳＭＳメールを受信し、ステップ１１０において、自分のスマートフォン６またはフィーチャーフォン７の小型のモニター（６ａ，７ａ）に表示された調査用個別Ｗｅｂページにアクセスするための専用短縮ＵＲＬをクリックする。
【００４９】
図４のステップＳ１１１において、図２の制御部１０の個別Ｗｅｂページ作成部１５は、専用の短縮ＵＲＬへの調査対象者のアクセスに基づき、督促等の重要な調査においてＳＭＳメールの受信者が正しく調査対象者であることの個人認証を求める場合（Ｙｅｓの場合）、ステップＳ１１２において、調査用Ｗｅｂページの骨格となるテンプレートＷｅｂデータ２３を記憶部２０から引き出し、更に個別Ｗｅｂページ個人情報ＤＢ２４から引き出した個別Ｗｅｂページ個人情報データをテンプレートＷｅｂデータ２３に埋め込み、かつ入力属性データ２６に基づいた表示要素（表示項目や設問に関する文字列、選択肢、入力欄の形態等）の表示制御を行うようにした認証用個別Ｗｅｂページを作成する。
【００５０】
具体的には、個人情報データの身元情報（調査対象者の氏名、ニックネームまたは予め調査対象者に割り振られたＩＤ等）を調査対象者毎にテンプレートＷｅｂデータに埋め込んで、認証用個別Ｗｅｂページの所定位置に表示させるように認証用個別Ｗｅｂページを作成する。また、テンプレートＷｅｂデータの表示要素において、前記身元情報を表示する文字列と、身元情報が正しいときに調査対象者が認証用個別Ｗｅｂページ上でチェックを入れるためのチェック式入力欄と、併せて調査対象者に入力させる本人認証情報に関する文字列（パスワードや生年月日等）を入力するための文字入力欄と、を入力属性データ２６の制御に基づいて表示させるように認証用個別Ｗｅｂページを作成する。
【００５１】
図４のステップＳ１１３において、図２の個別Ｗｅｂページ作成部１５は、作成された調査対象者毎に異なる表示を行う調査用個別Ｗｅｂページを通信ネットワークインターフェイス部１６に出力する。ステップＳ１１３において、通信ネットワークインターフェイス部１６は、ＩＰ網２及び公衆網５を介して調査対象者端末（６，７）の小型モニター（６ａ，７ａ）に認証用個別Ｗｅｂページを表示させる。
【００５２】
図４のステップＳ１１４において、調査対象者は、自分のスマートフォン６またはフィーチャーフォン７において認証用個別Ｗｅｂページを受信し、表示された身元情報（名前等）から自分を対象とした調査であることを確認し、チェック式入力欄チェックすることで調査を了承し、本人認証情報としてパスワード等を認証情報の入力欄に入力して送信する。
【００５３】
図４のステップ１１５において、図２の個別Ｗｅｂページ作成部１５は、調査対象者から送信された本人認証情報が正しい場合において、調査用Ｗｅｂページの骨格となるテンプレートＷｅｂデータ２３を記憶部２０から引き出し、更に個別Ｗｅｂページ個人情報ＤＢ２４から引き出した個別Ｗｅｂページ個人情報データをテンプレートＷｅｂデータ２３に埋め込み、かつ入力属性データ２６に基づいた表示要素（表示項目や設問に関する文字列、選択肢、入力欄の形態等）の表示制御を行うようにした調査用個別Ｗｅｂページを作成する。
【００５４】
尚、ステップＳ１１１とＳ１１５において、図２の個別Ｗｅｂページ作成部１５は、テンプレートＷｅｂデータの表示要素（表示項目や設問に関する文字列、選択肢、入力欄の形態等）において、表計算ファイルに入力された個別Ｗｅｂページ個人情報データに対応関係のある表示要素のみを認証用個別Ｗｅｂページ及び調査用個別Ｗｅｂページに表示させ、個別Ｗｅｂページ個人情報データに記録されていないことで対応関係のない表示要素を表示させないように認証用及び調査用Ｗｅｂページを作成することが望ましい。その場合、認証用及び調査用個別Ｗｅｂページにおいては、調査項目等のみが表示され、対応関係のない個別Ｗｅｂページ個人情報データの表示場所が空欄になるという表示スペースの無駄が発生しなくなる。
【００５５】
また、図４のステップＳ１１１において、重要性の低い調査について、調査対象者の個人認証を求めない場合（Ｎｏの場合）、図２の制御部１０は、ステップＳ１１１の後にステップＳ１１２〜Ｓ１１４を実行することなくステップＳ１１５を実行する。
【００５６】
図４のステップＳ１１６において、調査対象者は、自分のスマートフォン６またはフィーチャーフォン７において調査用個別Ｗｅｂページを受信して調査用個別Ｗｅｂページに表示された項目や設問を確認しつつ回答する。調査用個別Ｗｅｂページは、個人情報データとこれに対応する表示要素を含み調査対象者毎に異なるように表示される。図４のステップＳ１１６は、図５のステップＳ１１７に続く。
【００５７】
図５のステップＳ１１７において、調査対象者の調査対象者端末（６，７）は、調査の回答終了後に回答結果についてＩＰ網２を介して調査用個別Ｗｅｂページ作成表示システム１に送信する。
【００５８】
図２の制御部１０の通信ネットワークインターフェイス部１６は、図５のステップＳ１１８において、調査対象者端末（６，７）を介して調査用個別Ｗｅｂページに入力された回答結果を受信し、ステップＳ１１９において、調査回答データを調査回答データ集計部１７に出力する。調査回答データは、調査回答データ集計部１７によって集計され、集計データは、調査回答データ解析部１８によって解析された後、記憶部２０の調査回答データＤＢ２５に記録される。
【００５９】
尚、通信ネットワークインターフェイス部１６が受信した回答結果は、表示部４０によって一覧表示されると共に、表計算ファイル（ＣＳＶデータ）として企業クライアントサーバー（３，４）にダウンロード出来ることが望ましい。
【００６０】
また、本件の調査用個別Ｗｅｂページ作成表示システム、調査用個別Ｗｅｂページ作成表示方法および調査用個別Ｗｅｂページ作成表示プログラムは、例えば、各種申込書や年末調整書類の申込不備に関する調査や、電気やガスや通信回線等の工事日、立会日の希望日時、車検の入庫日時または配達物の受取日時等の意向確認調査や、就業状況の確認調査や、商品やサービスの利用状況調査や、カード利用代金、物販代金、家賃、保険料、貸金、会費等の督促に関する回答調査や、顧客満足度調査等に利用されることが望ましい。
【符号の説明】
【００６１】
１                  調査用個別Ｗｅｂページ作成表示システム
６，７              調査対象者端末
６ａ，７ａ          小型モニター（端末画面）
１０                制御部
２０                記憶部
【要約】      （修正有）【課題】表示の異なる調査用個別Ｗｅｂページを自在に作成可能な調査用個別Ｗｅｂページ作成表示システム、作成表示方法及び作成表示プログラムを提供する。【解決手段】調査用個別Ｗｅｂページ作成表示システム１は、制御部１０と、記憶部２０と、操作部３０と、表示部４０を有する。制御部１０は、記憶部２０のプログラム領域２１に記憶される調査用個別Ｗｅｂページ作成表示プログラムに基づいて、調査対象者端末に表示される調査用個別Ｗｅｂページへアクセス可能なＵＲＬ付のＳＭＳメールを送信する。【選択図】図２【図１】
0006860864.tif 000002
【図２】
0006860864.tif 000003
【図３】
0006860864.tif 000004
【図４】
0006860864.tif 000005
【図５】
0006860864.tif 000006